(57)【要約】【課題】ノイズ成分の除去ならびに部品点数およびそれに伴うコストの削減を実現することができる放送信号受信チューナを提供する。【解決手段】本発明の放送信号受信チューナ１においては、ＭＯＰ−ＩＣなどの帯域切換回路２においてＢＳ（バンドセレクト）ポートとなる第１の端子２ａおよび第２の端子２ｂに第１の受信回路３および第２の受信回路４が各々接続されている。また、１個のチップコンデンサ５がバイパス・コンデンサとして第１の端子２ａと第２の端子２ｂとの間に直接接続されている。【選択図】図１
2010283433.tif 000002
【特許請求の範囲】
【請求項１】
所望する放送信号の周波数帯域に応じて所定の直流電圧を選択的に出力する第１の端子および第２の端子を有する帯域切換回路と、
前記第１の端子に接続されているとともに前記第１の端子から出力された前記所定の直流電圧に応じて第１の周波数帯域の放送信号を受信する第１の受信回路と、
前記第２の端子に接続されているとともに前記第２の端子から出力された前記所定の直流電圧に応じて前記第１の周波数帯域とは異なる第２の周波数帯域の信号を受信する第２の受信回路と、
前記第１の端子と前記第２の端子との間に他の回路要素を介さずに直接的に接続されることによりバイパス・コンデンサとして作用する１個のチップコンデンサと
を備えていることを特徴とする放送信号受信チューナ。
【請求項２】
前記帯域切換回路は、
前記第２の端子から前記所定の直流電圧を出力するときに前記第１の端子をグランド電極に接続する第１のスイッチング素子と、
前記第１の端子から前記所定の直流電圧を出力するときに前記第２の端子をグランド電極に接続する第２のスイッチング素子と
を有していることを特徴とする請求項１に記載の放送信号受信チューナ。
【請求項３】
前記第１の周波数帯域および前記第２の周波数帯域のうちの一方の周波数帯域はＶＨＦローバンドであり、その他方の周波数帯域はＶＨＦハイバンドである
ことを特徴とする請求項１または請求項２に記載の放送信号受信チューナ。
【発明の詳細な説明】
【技術分野】
【０００１】
本発明は、放送信号受信チューナに係り、特に、ＴＳＳＯＰ型ＭＯＰ−ＩＣなどの小型ＩＣを搭載した狭小チューナに好適に利用できる放送信号受信チューナに関する。
【背景技術】
【０００２】
従来の放送信号受信チューナ１０１は、図３に示すように、例えばＭＯＰ−ＩＣ (ミキサ、オシレータおよびＰＬＬ（位相同期回路）の各機能を備えた集積回路）を用いて形成された帯域切換回路１０２、第１の受信回路１０３、第２の受信回路１０４および２個のチップコンデンサ１０５Ａ、１０５Ｂを備えている。
【０００３】
帯域切換回路１０２には放送信号の受信帯域を切り換えるために所定の直流電圧（例えば５Ｖの直流電圧）を出力するＢＳポート（バンド・セレクト・ポート）１０２ａ、１０２ｂが少なくとも２個以上形成されている。そして、これら２個のＢＳポート１０２ａ、１０２ｂは、第１の受信回路１０３または第２の受信回路１０４にそれぞれ接続されており、所定の直流電圧の出力に応じて２個の受信回路１０３、１０４を切換えるために使用されている。
【０００４】
また、２個のチップコンデンサ１０５Ａ、１０５Ｂは、バイパス・コンデンサとして作用するものである。２個のチップコンデンサ１０５Ａ、１０５Ｂのうちの一方の端子はＢＳポート１０２ａ、１０２ｂと第１の受信回路１０３または第２の受信回路１０４とを接続している配線パターン１０６、１０７に接続されており、それらの他方の端子はグランド１１０に接続されている。
【０００５】
なお、放送信号受信チューナ１０１においては、そのレイアウトの設計上、前述の配線パターン１０６、１０７の長さが長くなってしまうことが多い。配線パターン１０６、１０７が長くなると、配線パターン１０６、１０７からノイズ成分が侵入しまうので、２個のチップコンデンサ１０５Ａ、１０５Ｂは２個のＢＳポート１０２ａ、１０２ｂに近接して接続されていることが好ましい。
【先行技術文献】
【特許文献】
【０００６】
【特許文献１】特開２００１−２２３９５６号公報
【発明の概要】
【発明が解決しようとする課題】
【０００７】
ここで、帯域切換回路１０２としてＴＳＳＯＰ（Thin Shrink Small Out-line Package）型ＭＯＰ−ＩＣなどの狭小のＩＣパッケージを利用する場合、ＢＳポート１０２ａ、１０２ｂとなる各ピンの間隔が例えば０．５ｍｍ程度の極めて狭小な間隔となってしまう。ＩＣパッケージのピン間隔が狭小になると、その間隔がチップコンデンサ１０５Ａ、１０５Ｂよりも小さくなるため、各ピンの間にチップコンデンサ１０５Ａ、１０５Ｂが配置できない。したがって、従来の放送信号受信チューナ１０１においては、２個のチップコンデンサ１０５Ａ、１０５Ｂを各ピンに接続させる場合、図４に示すように、２個のチップコンデンサ１０５Ａ、１０５Ｂのうちのいずれか一方のチップコンデンサ１０５Ａをオフセット配置する必要が生じていた。
【０００８】
しかしながら、いずれか一方のチップコンデンサ１０５Ａをオフセット配置すると、オフセット配置された一方のチップコンデンサ１０５ＡがＢＳポート１０２ａとしてのピンから遠ざかるため、オフセット配置された一方のチップコンデンサ１０５Ａが接続された配線パターン１０６からノイズ成分が侵入しやすくなるという問題があった。
【０００９】
また、従来の放送信号受信チューナ１０１においては、ＢＳポート１０２ａ、１０２ｂとしての各ピンに対して１個ずつチップコンデンサ１０５Ａ、１０５Ｂを接続しなければならず、部品点数およびそれに伴うコストが増加してしまうという問題があった。
【００１０】
そこで、本発明はこれらの点に鑑みてなされたものであり、ノイズ成分の除去ならびに部品点数およびそれに伴うコストの削減を実現することができる放送信号受信チューナを提供することを本発明の目的としている。
【課題を解決するための手段】
【００１１】
前述した目的を達成するため、本発明の放送信号受信チューナは、その第１の態様として、所望する放送信号の周波数帯域に応じて所定の直流電圧を選択的に出力する第１の端子および第２の端子を有する帯域切換回路と、第１の端子に接続されているとともに第１の端子から出力された所定の直流電圧に応じて第１の周波数帯域の放送信号を受信する第１の受信回路と、第２の端子に接続されているとともに第２の端子から出力された所定の直流電圧に応じて第１の周波数帯域とは異なる第２の周波数帯域の信号を受信する第２の受信回路と、第１の端子と第２の端子との間に他の回路要素を介さずに直接的に接続されることによりバイパス・コンデンサとして作用する１個のチップコンデンサとを備えていることを特徴としている。
【００１２】
本発明の第１の態様の放送信号受信チューナによれば、所定の直流電圧が出力されない第１の端子または第２の端子を基準電位点として第１の端子および第２の端子に対して１個のチップコンデンサを接続したので、１個のチップコンデンサを第１の端子および第２の端子のいずれの端子にも近接配置されたバイパス・コンデンサとして共用することができる。また、１個のチップコンデンサを共用にしたので、従来よりもチップコンデンサの配置個数を減少させることができる。
【００１３】
本発明の第２の態様の放送信号受信チューナは、第１の態様の放送信号受信チューナにおいて、帯域切換回路は、第２の端子から所定の直流電圧を出力するときに第１の端子をグランド電極に接続する第１のスイッチング素子と、第１の端子から所定の直流電圧を出力するときに第２の端子をグランド電極に接続する第２のスイッチング素子とを有していることを特徴としている。
【００１４】
本発明の第２の態様の放送信号受信チューナによれば、所定の直流電圧が出力されない第１の端子または第２の端子がグランド電極に接続されているので、チップコンデンサにおけるバイパス・コンデンサとしての作用が安定し、ノイズ成分の除去を適切に行なうことができる。
【００１５】
本発明の第３の態様の放送信号受信チューナは、第１または第２の態様の放送信号受信チューナにおいて、第１の周波数帯域および第２の周波数帯域のうちの一方の周波数帯域はＶＨＦローバンドであり、その他方の周波数帯域はＶＨＦハイバンドであることを特徴としている。
【００１６】
本発明の第３の態様の放送信号受信チューナによれば、携帯端末機用地上デジタル放送、デジタル放送、ラジオ放送、コミュニティ放送その他のＶＨＦローバンド（９０ＭＨｚ〜１０８ＭＨｚ）とＶＨＦハイバンド（１７０ＭＨｚ〜２２２ＭＨｚ）を利用する放送を適切に受信することができる。
【発明の効果】
【００１７】
本発明の放送信号受信チューナによれば、ＢＳポートとなる第１の端子および第２の端子のいずれに対してもバイパス・コンデンサとなるチップコンデンサを近接配置するとともに、そのチップコンデンサの部品点数を２個から１個に減少させたので、ノイズ成分の除去ならびに部品点数およびそれに伴うコストの削減を実現することができるという効果を奏する。
【図面の簡単な説明】
【００１８】
【図１】本発明の放送信号受信チューナの一実施形態を示す等価回路図
【図２】本発明の放送信号受信チューナにおけるレイアウトの一例を示す平面図
【図３】従来の放送信号受信チューナの一例を示す等価回路図
【図４】従来の放送信号受信チューナにおけるレイアウトの一例を示す平面図
【発明を実施するための形態】
【００１９】
以下、本発明の放送信号受信チューナをその一実施形態により説明する。
【００２０】
本実施形態の放送信号受信チューナ１は、図１に示すように、帯域切換回路２、第１の受信回路３、第２の受信回路４および１個のチップコンデンサ５を備えている。
【００２１】
帯域切換回路２は、ＢＳポートとしての第１の端子２ａおよび第２の端子２ｂを有している。これら第１の端子２ａおよび第２の端子２ｂは、所望する放送信号の周波数帯域に応じて、例えば５Ｖの直流電圧などの所定の直流電圧を選択的に出力するように形成されている。
【００２２】
また、帯域切換回路２は、第１のスイッチング素子８および第２のスイッチング素子９ならびにグランド電極１０を有していることが好ましい。第１のスイッチング素子８は、第２の端子２ｂから所定の直流電圧を出力するときに、第１の端子２ａをグランド電極１０に接続するように形成されていることが好ましい。また、第２のスイッチング素子９は、第１の端子２ａから所定の直流電圧を出力するときに、第２の端子２ｂをグランド電極１０に接続するように形成されていることが好ましい。
【００２３】
本実施形態の帯域切換回路２としては、ＴＳＳＯＰ型ＭＯＰ−ＩＣなどの狭小のＩＣパッケージを利用することが効果的である。
【００２４】
また、本実施形態の第１のスイッチング素子８および第２のスイッチング素子９としては、ＮＰＮ型トランジスタがそれぞれ用いられていることが好ましい。この場合、第１のスイッチング素子８および第２のスイッチング素子９の各コレクタは所定の直流電圧を供給する図示しない電圧源に接続されており、それらの各エミッタはグランド電極１０に接続されている。そして、第１のスイッチング素子８および第２のスイッチング素子９の各ベース−エミッタ間に制御電流を選択的に流すことにより、第１のスイッチング素子８および第２のスイッチング素子９のうちの一方のスイッチング素子がオンとなり、その他方のスイッチング素子がオフとなるように制御されている。
【００２５】
第１の受信回路３は、本実施形態の放送信号受信チューナ１に接続された図示しないアンテナの切換に利用される回路である。この第１の受信回路３は、第１の配線パターン６を介して、第１の端子２ａに接続されている。また、この第１の受信回路３は、第１の端子２ａから出力された所定の直流電圧に応じて第１の周波数帯域の放送信号を受信するように形成されている。第１の周波数帯域としては、ＶＨＦローバンドまたはＶＨＦハイバンドであることが好ましい。
【００２６】
第２の受信回路４は、第１の受信回路３と同様、本実施形態の放送信号受信チューナ１に接続された図示しないアンテナの切換に利用される回路である。この第２の受信回路４は、第２の配線パターン７を介して、第２の端子２ｂに接続されている。また、この第２の受信回路４は、第２の端子２ｂから出力された所定の直流電圧に応じて、第２の周波数帯域の信号を受信するように形成されている。
【００２７】
ここで、第２の周波数帯域は、第１の周波数帯域とは異なっている。また、この第２の周波数帯域としては、ＶＨＦローバンドまたはＶＨＦハイバンドであることが好ましい。
【００２８】
１個のチップコンデンサ５は、第１の端子２ａと第２の端子２ｂとの間に他の回路要素を介さずに直接的に接続されている。このチップコンデンサ５は、第１の端子２ａから所定の直流電圧が出力されたとき、言い換えると、第１の受信回路３が第１の周波数帯域の放送信号を受信しているときに、ノイズ成分を第２の端子２ｂにバイパスするバイパス・コンデンサとして作用する。それに対し、第２の端子２ｂから所定の直流電圧が出力されたとき、言い換えると、第２の受信回路４が第２の周波数帯域の放送信号を受信しているときに、このチップコンデンサ５は、ノイズ成分を第１の端子２ａにバイパスするバイパス・コンデンサとして作用する。
【００２９】
このようなチップコンデンサ５は、第１の端子２ａおよび第２の端子２ｂに対してできる限り隣接して配置されていることが好ましい。例えば、帯域切換回路２がＴＳＳＯＰ型ＭＯＰ−ＩＣなどの狭小のＩＣパッケージであり、第１の端子２ａおよび第２の端子２ｂがそのＩＣパッケージにおける隣接する各ピンである場合、図２に示すように、各ピンに隣接した位置にチップコンデンサ５の両端を接続する電極パッド６ａ、７ａを形成することによって、各ピンにチップコンデンサ５を隣接配置することが好ましい。
【００３０】
次に、本実施形態の放送信号受信チューナ１の作用を説明する。
【００３１】
本実施形態の放送信号受信チューナ１においては、図１に示すように、帯域切換回路２の第１の端子２ａおよび第２の端子２ｂに第１の受信回路３および第２の受信回路４が各々接続されているとともに、第１の端子２ａと第２の端子２ｂとの間に１個のチップコンデンサ５が接続されている。ここで、第１の端子２ａまたは第２の端子２ｂのうちの一方の端子の電位は所定の直流電圧となり、その他方の端子の電位は所定の直流電圧を出力しないことから０Ｖまたは所定の直流電圧よりも低い電位となるので、その他方の端子は基準電位点となる。つまり、第１の端子２ａおよび第２の端子２ｂの両端子に１個のチップコンデンサ５が他の回路要素を介さずに接続されることにより、所定の直流電圧が出力されない第１の端子２ａまたは第２の端子２ｂに対して２つの配線パターン６、７に侵入したノイズ成分がバイパスされる。その結果、第１の端子２ａおよび第２の端子２ｂのいずれの端子に対しても１個のチップコンデンサ５をバイパス・コンデンサとして共用することができる。
【００３２】
また、本実施形態の放送信号受信チューナ１においては、図２に示すように、チップコンデンサ５を１個にしたので、チップコンデンサ５をオフセット配置させることなく（図４を参照）、第１の端子２ａおよび第２の端子２ｂの両端子にチップコンデンサ５を近接配置することができる。
【００３３】
さらに、第１の端子２ａおよび第２の端子２ｂの両端子に接続するチップコンデンサ５を共用にしたので、従来よりもチップコンデンサ５の配置個数を減少させることができる。これに伴い、帯域切換回路２の外部に存在するグランド電極にチップコンデンサ５を接続する必要がなくなるため（図３および４を参照）、放送信号受信チューナ１のレイアウトの自由度を向上させることができる。
【００３４】
また、本実施形態の帯域切換回路２においては、図１に示すように、第２の端子２ｂから所定の直流電圧を出力するときに第１の端子２ａをグランド電極１０に接続する第１のスイッチング素子８、および、第１の端子２ａから所定の直流電圧を出力するときに第２の端子２ｂをグランド電極１０に接続する第２のスイッチング素子９が形成されていることが好ましい。これにより、所定の直流電圧が出力されない第１の端子２ａまたは第２の端子２ｂがグランド電極１０に接続されるので、チップコンデンサ５におけるバイパス・コンデンサとしての作用が安定し、ノイズ成分の除去を適切に行なうことができる。
【００３５】
さらに、本実施形態の第１の周波数帯域および第２の周波数帯域については、一方の周波数帯域がＶＨＦローバンドであり、その他方の周波数帯域がＶＨＦハイバンドであることが好ましい。これにより、携帯端末機用地上デジタル放送、デジタル放送、ラジオ放送、コミュニティ放送その他のＶＨＦローバンド（９０ＭＨｚ〜１０８ＭＨｚ）とＶＨＦハイバンド（１７０ＭＨｚ〜２２２ＭＨｚ）を利用する放送を適切に受信することができる。
【００３６】
すなわち、本実施形態の放送信号受信チューナ１によれば、ＢＳポートとなる第１の端子２ａおよび第２の端子２ｂのいずれに対してもバイパス・コンデンサとなるチップコンデンサ５を近接配置するとともに、そのチップコンデンサ５の部品点数を２個から１個に減少させたので、ノイズ成分の除去ならびに部品点数およびそれに伴うコストの削減を実現することができるという効果を奏する。
【００３７】
なお、本発明は、前述した実施形態などに限定されるものではなく、必要に応じて種々の変更が可能である。
【符号の説明】
【００３８】
１  放送信号受信チューナ
２  帯域切換回路
２ａ  第１の端子（ＢＳポート）
２ｂ  第２の端子（ＢＳポート）
３  第１の受信回路
４  第２の受信回路
５  チップコンデンサ
６、７  配線パターン
８、９  スイッチング素子
１０  グランド電極
【図１】
2010283433.tif 000003
【図２】
2010283433.tif 000004
【図３】
2010283433.tif 000005
【図４】
2010283433.tif 000006